(57)【要約】【課題】ＴＭＣ局リストの作成に要する時間を短縮する。【解決手段】所定の情報を提供するための文字データに対し放送の地域的範囲を示す所定の地域コードを付加して構成したデータを多重化して放送する所定形式の多重放送を受信し、前記情報を取得する放送受信装置において、受信中の多重放送が文字データとして所定の交通情報を提供するためのものを含んでいるか否かを判定する手段（ステップＳ４〜Ｓ６）と、周波数の異なる多重放送を順次受信しながら、前記判定手段を用いて交通情報の提供を行っている多重放送を検索し、得られた多重放送を所定の放送リストに登録するリスト作成手段（ステップＳ１〜Ｓ８）とを設け、リスト作成手段は、受信中の多重放送に係る地域コードの値が所定の値である場合には、その多重放送については判定手段による判定及び放送リストへの登録（ステップＳ４〜Ｓ７）を行わないようにする（ステップＳ３）。【選択図】図３
2007124183.tif 000002
【特許請求の範囲】
【請求項１】
所定の情報を提供するための文字データに対し放送の地域的範囲を示す所定の地域コードを付加して構成したデータを多重化して放送する所定形式の多重放送を受信し、前記情報を取得する放送受信装置であって、
受信中の前記多重放送が前記文字データとして所定の交通情報を提供するためのものを含んでいるか否かを判定する手段と、
周波数の異なる前記多重放送を順次受信しながら、前記判定手段を用いて前記交通情報の提供を行っている多重放送を検索し、得られた多重放送を所定の放送リストに登録するリスト作成手段とを備え、
前記リスト作成手段は、受信中の多重放送に係る前記地域コードの値が所定の値である場合には、その多重放送については前記判定手段による判定及び放送リストへの登録を行わないものであることを特徴とする放送受信装置。
【請求項２】
前記所定形式の多重放送はＲＤＳシステムに従いＲＤＳデータを多重化して放送するものであり、
前記交通情報に係る文字データは前記ＲＤＳデータにおけるＴＭＣデータを構成するものであり、
前記地域コードはＰＩコードにおける地域コードであり、
前記放送リストへの多重放送の登録は、該多重放送に係るＰＩコードを記録することにより行われるものであり、
前記地域コードについての所定の値は、ローカル放送であることを示す値であることを特徴とする請求項１に記載の放送受信装置。
【請求項３】
前記リスト作成手段は、前記検索により得られたすべての多重放送の放送リストへの登録が完了した後、所定のタイミングで、前記地域コードの値が前記所定の値であって、前記交通情報の提供を行っている放送を検索し、得られた放送を前記放送リストに対して追加登録するものであることを特徴とする請求項１又は２に記載の放送受信装置。
【請求項４】
所定の情報を提供するための文字データに対し放送の地域的範囲を示す所定の地域コードを付加して構成したデータを多重化して放送する所定形式の多重放送を受信し、前記情報を取得する放送受信装置に、
周波数の異なる前記多重放送を順次受信してゆく受信手順と、
前記受信手順において受信される各多重放送について、前記文字データとして所定の交通情報を提供するためのものを含んでいるか否かの判定を行う判定手順と、
前記交通情報の提供を行うための文字データを含んでいると判定された多重放送を所定の放送リストに登録する登録手順と、
前記受信手順において受信される各多重放送について、その前記地域コードの値が所定の値である場合に、前記判定手順及び登録手順をスキップさせる手順とを実行させることを特徴とする放送受信プログラム。
【請求項５】
所定の情報を提供するための文字データに対し放送の地域的範囲を示す所定の地域コードを付加して構成したデータを多重化して放送する所定形式の多重放送を受信し、前記情報を取得する放送受信装置における所定の放送リストの作成方法であって、
周波数の異なる前記多重放送を順次受信してゆく受信工程と、
前記受信工程において受信される各多重放送について、前記文字データとして所定の交通情報を提供するためのものを含んでいるか否かの判定を行う判定工程と、
前記交通情報の提供を行うための文字データを含んでいると判定された多重放送を前記放送リストに登録する登録工程と、
前記受信工程において受信される各多重放送について、その前記地域コードの値が所定の値である場合に、前記判定工程及び登録工程をスキップさせる工程とを具備することを特徴とする放送リスト作成方法。
【発明の詳細な説明】
【技術分野】
【０００１】
本発明は、文字データが多重化された放送を受信する放送受信装置、並びに該装置に適した放送受信プログラム及び放送リスト作成方法に関する。
【背景技術】
【０００２】
従来、ステレオＦＭ放送の副搬送波を用いたＲＤＳ（ラジオ・データ・システム）の一部のチャンネルを用いて、交通情報をドライバに提供するＲＤＳ−ＴＭＣ（トラフィック・メッセージ・チャンネル）システムが知られている。このシステムでは、ＲＤＳシステムにおける３Ａタイプ又は８Ａタイプのメッセージに、ＴＭＣデータとしての交通情報を含めるようにしている。
【０００３】
ＲＤＳデータを構成する各グループは、ブロック１〜ブロック４の４つのブロックを有する。ブロック１はＰＩコードであり、ブロック２〜４はグループタイプによって異なるデータである。０〜１５のグループタイプがあり、各グループタイプとしてＡタイプ及びＢタイプがあるので、全部で３２通りのグループが存在する。各グループについてのグループタイプ及びＡタイプ又はＢタイプであるかの識別情報はブロック２に含まれている。
【０００４】
ＴＭＣデータはタイプ３Ａ又は８Ａのグループとして送信される。したがって、ＴＭＣデータの放送を行っている放送局（以下、「ＴＭＣ局」という。）のみを登録したリスト（以下、「ＴＭＣ局リスト」という。）を作成する場合、所定の周波数範囲でシーク動作を行い、受信可能なすべての放送局について次の処理を行う。すなわち、ＲＤＳデータを構成する各グループについて、ブロック２を解析してタイプが３Ａ又は８Ａであるかを判定し、タイプが３Ａ又は８Ａであれば、ブロック３及び４を解析してそれがＴＭＣデータであるかどうかを判定する。ＴＭＣデータであれば、その放送局をＴＭＣ局リストに登録する。
【０００５】
なお、これに関連する技術として、特許文献１には、受信可能なＦＭ放送帯域内の全ＲＤＳ局からＰＩコードを優先的に抽出して更新した後、ＰＩコード以外のＲＤＳデータを抽出して更新することにより、ＴＭＣデータを受信する時間を大幅に削ることなく、ＦＭ放送帯域内の全ＲＤＳ局から必要最小限のＲＤＳデータを抽出し、更新することができるようにした多重放送受信装置が記載されている。
【０００６】
【特許文献１】特開２００４−２３５４２号公報
【発明の開示】
【発明が解決しようとする課題】
【０００７】
しかしながら、上述従来のＴＭＣ局リストの作成方法によれば、受信可能なすべてのＲＤＳ放送局について、ＲＤＳデータにＴＭＣデータが含まれるどうかの解析を行い、ＴＭＣ局かどうかの判定を行うようにしているため、ＴＭＣ局リストを作成するのに長時間を必要とする。
【０００８】
本発明の目的は、このような従来技術の問題点に鑑み、放送受信装置において、ＴＭＣ局リストの作成に要する時間を短縮することにある。
【課題を解決するための手段】
【０００９】
上記目的を達成するための第１の発明に係る放送受信装置は、所定の情報を提供するための文字データに対し放送の地域的範囲を示す所定の地域コードを付加して構成したデータを多重化して放送する所定形式の多重放送を受信し、前記情報を取得する放送受信装置に関する。この装置は、受信中の前記多重放送が文字データとして所定の交通情報を提供するためのものを含んでいるか否かを判定する手段と、周波数の異なる多重放送を順次受信しながら、前記判定手段を用いて交通情報の提供を行っている多重放送を検索し、得られた多重放送を所定の放送リストに登録するリスト作成手段とを備える。そして、リスト作成手段は、前記多重放送の検索に際し、受信中の多重放送に係る前記地域コードの値が所定の値である場合には、その多重放送については前記判定手段による判定及び放送リストへの登録を行わないものであることを特徴とする。ここで、放送受信装置としては、たとえば、ＲＤＳやＲＢＤＳ（ラジオ放送データシステム）に対応した放送受信装置が該当する。
【００１０】
この構成において、リスト作成手段は、順次受信する多重放送について、所定の交通情報を提供する文字データを含むものであるかどうかの判定を行いながら、交通情報の提供を行っている多重放送を検索し、得られた多重放送を順次所定の放送リストに登録してゆく。ここで、各多重放送に係る地域コードの値としては、放送の地域的範囲がたとえば全国放送やローカル放送であることを示す値が該当するが、たとえばその放送がローカル放送である場合、その放送が交通情報の提供を行っている可能性は低い。そのような場合、該放送について交通情報の提供を行っているかどうかを判定すると、判定に要した長い時間が無駄になる可能性が高い。そこで本発明では、検索のために受信中の多重放送に係る地域コードの値が所定値である場合には、その多重放送については、交通情報の提供を行っているかどうかについての長時間を要する判定は行わないことにすることにより、直ちに次の多重放送の受信動作に移行して極力無駄な時間を排除し、放送リストの作成時間を短縮することができるようにしている。
【００１１】
第２の発明に係る放送受信装置は、第１発明において、前記所定形式の多重放送はＲＤＳシステムに従いＲＤＳデータを多重化して放送するものであり、前記交通情報に係る文字データは前記ＲＤＳデータにおけるＴＭＣデータを構成するものであり、前記地域コードはＰＩコードにおける地域コードであり、前記放送リストへの多重放送の登録は、該多重放送に係るＰＩコードを記録することにより行われるものであり、前記地域コードについての所定の値はローカル放送であることを示す値であることを特徴とする。
【００１２】
第３の発明に係る放送受信装置は、第１又は第２発明において、リスト作成手段は、前記多重放送の検索により得られたすべての多重放送の放送リストへの登録が完了した後、所定のタイミングで、地域コードの値が前記所定の値であって、交通情報の提供を行っている放送を検索し、得られた放送を前記放送リストに対して追加登録するものであることを特徴とする。
【００１３】
第４の発明に係る放送受信プログラムは、所定の情報を提供するための文字データに対し放送の地域的範囲を示す所定の地域コードを付加して構成したデータを多重化して放送する所定形式の多重放送を受信し、前記情報を取得する放送受信装置に、所定の手順を実行させるものである。該手順は、周波数の異なる前記多重放送を順次受信してゆく受信手順と、前記受信手順において受信される各多重放送について、前記文字データとして所定の交通情報を提供するためのものを含んでいるか否かの判定を行う判定手順と、前記交通情報の提供を行うための文字データを含んでいると判定された多重放送を所定の放送リストに登録する登録手順と、前記受信手順において受信される各多重放送について、その地域コードの値が所定の値である場合に、前記判定手順及び登録手順をスキップさせる手順とを含む。
【００１４】
第５の発明に係る放送リスト作成方法は、所定の情報を提供するための文字データに対し放送の地域的範囲を示す所定の地域コードを付加して構成したデータを多重化して放送する所定形式の多重放送を受信し、前記情報を取得する放送受信装置における所定の放送リストの作成方法に関する。この方法は、周波数の異なる前記多重放送を順次受信してゆく受信工程と、前記受信工程において受信される各多重放送について、前記文字データとして所定の交通情報を提供するためのものを含んでいるか否かの判定を行う判定工程と、前記交通情報の提供を行うための文字データを含んでいると判定された多重放送を前記放送リストに登録する登録工程と、前記受信工程において受信される各多重放送について、その前記地域コードの値が所定の値である場合に、前記判定工程及び登録工程をスキップさせる工程とを備える。
【発明の効果】
【００１５】
本発明によれば、受信中の多重放送に係る地域コードの値が所定の値である場合には、その多重放送については、交通情報を提供するための文字データを含んでいるかどうかの判定及び放送リストへの登録を行わないようにしたため、放送リストの作成に要する時間を短縮することができる。
【発明を実施するための最良の形態】
【００１６】
図１は本発明の一実施形態に係るＲＤＳに対応した放送受信装置の構成を示すブロック図である。この装置は、同図に示すように、任意の周波数の電波を受信し、変調されたＲＤＳデータを出力するチューナ制御ＩＣ１、チューナ制御ＩＣ１からの変調されたＲＤＳデータを復調及びデコードし、デコードされたＲＤＳデータを出力するＲＤＳデコーダ２、装置各部を制御するマイクロコンピュータ３、及びマイクロコンピュータ３に接続された表示器４を備える。
【００１７】
マイクロコンピュータ３はチューナ制御ＩＣ１を制御するチューナＩＣ制御ブロック３１、ＲＤＳデコーダ２からのＲＤＳデータを解析するＲＤＳデータ解析ブロック３２、及びＲＤＳデータ解析ブロック３２における解析結果に基づいて作成されるＴＭＣ局リストを記憶するメモリ３３を備える。マイクロコンピュータ３は、チューナＩＣ制御ブロック３１及びＲＤＳデータ解析ブロック３２を構成する所定のプログラムに従い、ＴＭＣデータの放送を行っているＴＭＣ局をシーク動作により検索し、受信可能なＴＭＣ局をリストアップしたＴＭＣ局リストを作成する機能を備える。
【００１８】
マイクロコンピュータ３は、ＴＭＣ局リストの作成に際し、受信中の放送局がＴＭＣ局であるか否かの判定を行うに先立ち、ＲＤＳデコーダ２からのＲＤＳデータに含まれるＰＩコード（プログラム識別コード）に基づき、受信中の放送がローカル放送である否かを判定する。そして、ローカル放送であれば、ＴＭＣ局であるかどうかの判定を行わず、かつその放送局をＴＭＣ局リストに登録することなく、直ちに次の放送局の受信へ移行するようにしている。ＴＭＣ局であるかどうかの判定は、受信中のＲＤＳデータがタイプ３Ａ又は８Ａグループのデータを含み、かつそのブロック３及び４がＴＭＣデータであるかどうかを解析することによって行われる。
【００１９】
図２はＰＩコードのフォーマットを示す。ＰＩコードは２バイトのコードであり、１６進数の４桁で表すと、最上桁が国コード、次の桁が地域コード、そして下２桁が放送局コードとなっている。地域コードは、「１」が国際放送、「２」が全国放送、「３」がワイド放送、「１」〜「３」以外がローカル放送であることを示す。したがって、地域コードが「１」〜「３」以外かどうかにより、ローカル放送であるか否かを判定することができる。
【００２０】
図３はマイクロコンピュータ３によるＴＭＣ局リストアップ処理を示すフローチャートである。処理を開始すると、チューナＩＣ制御ブロック３１は、まず、ステップＳ１において、チューナ制御ＩＣ１に対し、受信周波数に関する情報を送信する。チューナ制御ＩＣ１はその周波数で受信の試行を行い、受信可能か否かをチューナＩＣ制御ブロック３１通知する。この受信周波数は、ステップＳ１の処理を繰り返す毎に所定量ずつ変化し、これにより所定の周波数範囲におけるシーク動作が行われることになる。
【００２１】
次に、ステップＳ２において、チューナＩＣ制御ブロック３１は、チューナ制御ＩＣ１からの通知が、受信可能であることを示しているか否かを判定する。受信可能ではないと判定した場合にはステップＳ８に進み、受信可能であると判定した場合にステップＳ３へ進む。
【００２２】
ステップＳ３では、ＲＤＳデータ解析ブロック３２が、ＲＤＳデコーダ２からのＲＤＳデータを解析し、ＰＩコードにおける地域コードの値が、「１」〜「３」のいずれかであるかどうかを判定する。地域コードの値が「１」〜「３」のいずれかではないと判定した場合には、受信中の放送はローカル放送であるため、ＴＭＣ局であるかどうかの判定は行うことなく、直ちにステップＳ８へ進む。ローカル放送の場合、ＴＭＣデータを放送している可能性が低く、ＴＭＣデータであるかどうかの解析が無駄となる場合が多いからである。
【００２３】
ステップＳ３において地域コードの値が「１」〜「３」のいずれかであると判定した場合には、受信中の放送はローカル放送ではなく、国際放送、全国放送、又はワイド放送のいずれかであり、ＴＭＣデータを放送している可能性が高い。そこで、受信中の放送局がＴＭＣ局であるか否かを決定するのに要するものとして許容される一定時間の経過を検出するためのタイマをスタートさせる。そしてステップＳ４において、該タイマのカウント値に基づき、前記一定時間が経過したか否かを判定する。該一定時間が経過したと判定した場合にはステップＳ８へ進む。
【００２４】
ステップＳ４において一定時間が経過していないと判定した場合には、ステップＳ５において、ＲＤＳデコーダ２が出力するＲＤＳデータがタイプ３Ａ又は８Ａグループのものであるか否かを判定する。ＴＭＣデータはこのグループに存在するからである。いずれのタイプのグループでもないと判定した場合にはステップＳ４へ戻り、前記一定時間が経過しない範囲で、同様の判定を繰り返す。
【００２５】
ステップＳ５において、タイプ３Ａ又は８Ａグループのデータであると判定した場合には、ステップＳ６においてデータ解析を行い、該データのブロック３及び４がＴＭＣデータであるか否かを判定する。ＴＭＣデータではないと判定した場合にはステップＳ４に戻る。ステップＳ６においてＴＭＣデータであると判定した場合には、ステップＳ７において、受信中のＲＤＳデータのＰＩコードをＴＭＣ局リストに記録することにより当該放送局の登録を行い、ステップＳ８へ進む。
【００２６】
ステップＳ８では、所定周波数範囲についてシーク動作を完了したか否かを判定する。完了していないと判定した場合には、ステップＳ１に戻り、次の周波数についてステップＳ１〜Ｓ８の処理を行う。シーク動作が完了したと判定した場合には、ＴＭＣ局リストアップ処理を終了する。このようにして作成されたＴＭＣ局リストは、記録されている各ＴＭＣ局のＰＩコードの内容が随時、表示器４において表示され、たとえば、ユーザが受信したいＴＭＣ局を選択するために用いられる。
【００２７】
これによれば、ＴＭＣデータを放送している可能性が低いローカル放送については、長時間を要するＴＭＣ局であるかどうかの判定を省略するようにしたため、ＴＭＣ局リストの作成に要する時間を短縮することができる。
【００２８】
なお、本発明は上述実施形態に限定されることなく、適宜変形して実施することができる。たとえば、上述においては、ＲＤＳ放送を受信対象としているが、この代わりに、ＲＢＤＳ放送を受信対象とするようにしてもよい。
【００２９】
また、上述においては、ローカル放送についてはＴＭＣ局であるか否かの判定を省略するようにしているが、この代わりに、ローカル放送については、図３の処理が完了した後の所定のタイミングにおいて、追加的にＴＭＣ局であるか否かの判定を行い、ＴＭＣ局があれば、ＴＭＣ局リストに追加登録するようにしてもよい。
【図面の簡単な説明】
【００３０】
【図１】本発明の一実施形態に係る放送受信装置の構成を示すブロック図である。
【図２】ＰＩコードのフォーマットを示す図である。
【図３】図１の装置におけるＴＭＣ局リストアップ処理を示すフローチャートである。
【符号の説明】
【００３１】
１：チューナ制御ＩＣ、２：ＲＤＳデコーダ、３：マイクロコンピュータ、４：表示器、３１：チューナＩＣ制御ブロック、３２：ＲＤＳデータ解析ブロック、３３：メモリ。
【図１】
2007124183.tif 000003
【図２】
2007124183.tif 000004
【図３】
2007124183.tif 000005